(57)【要約】【課題】所望の意匠へ容易に変更可能とする遠隔操作装置を提供する。【解決手段】空気調和機（機器）Ｂを遠隔操作するリモコン（遠隔操作装置）Ａであって、利用者による入力操作に基づいて操作信号を発する操作手段１と、この操作手段１による空気調和機Ｂの設定状態を表示する表示手段２と、操作手段１からの前記操作信号に基づいて、空気調和機Ｂや表示手段２へ制御信号を発する制御手段７と、操作手段１や制御手段７を実装する回路基板と、この回路基板を内蔵し、操作手段１と表示手段２とが外側から臨むように開口部３１を有するケース３と、ケース３における操作手段１と表示手段２とを有する操作面３２を覆い、この操作面３２と対向する平滑面を有する板状の透明パネル４と、この透明パネル４をケース３に対して着脱可能に固定する固定手段５と、を備える。【選択図】図２
2018032992.tif 000002
【特許請求の範囲】
【請求項１】
機器を遠隔操作する遠隔操作装置であって、
利用者による入力操作に基づいて操作信号を発する操作手段と、
この操作手段による前記機器の設定状態を表示する表示手段と、
前記操作手段からの前記操作信号に基づいて、前記機器や前記表示手段へ制御信号を発する制御手段と、
前記操作手段や前記制御手段を実装する回路基板と、
この回路基板を内蔵し、前記操作手段と前記表示手段とが外側から臨むように開口部を有するケースと、
前記ケースにおける前記操作手段と前記表示手段とを有する操作面を覆い、この操作面と対向する平滑面を有する板状の透明部材と、
この透明部材を前記ケースに対して着脱可能に固定する固定手段と、
を備えることを特徴とする遠隔操作装置。
【請求項２】
前記固定手段は、前記透明部材と前記ケースとの間に、シート状の意匠部材を介在させた状態で前記透明部材を前記ケースに固定することを特徴とする請求項１に記載の遠隔操作装置。
【請求項３】
前記透明部材は、前記操作手段を臨む開口孔を有することを特徴とする請求項１に記載の遠隔操作装置。
【請求項４】
前記固定手段は、前記ケースに設けられる磁石と、前記透明部材を挟み込む金属部材とからなることを特徴とする請求項１に記載の遠隔操作装置。
【発明の詳細な説明】
【技術分野】
【０００１】
本発明は、無線または有線にて通信することで機器を操作するための遠隔操作装置に関する。
【背景技術】
【０００２】
従来の遠隔操作装置は、例えば、操作用スイッチなどを実装する回路基板や、液晶表示パネルなどの表示器等をケース内に収納して構成されるものが一般的であり、例えば、特許文献１に開示されるように、壁面に取り付けられるものがある。
【先行技術文献】
【特許文献】
【０００３】
【特許文献１】特開２０１３−９６６６８号公報
【発明の概要】
【発明が解決しようとする課題】
【０００４】
一般的に、遠隔操作装置のケースは、壁面と同色にすることで、違和感を与えることや目立つことがないように望まれていたため、白色を適用して設計することが多かった。しかしながら、壁面が他の色であったり、あえて遠隔操作装置を印象付けるなどの目的から、求められる色や柄、模様などを含めた外観デザインが多様化している。
【０００５】
そこで本発明の目的は、上述課題に着目し、所望の意匠へ容易に変更可能とする遠隔操作装置を提供することにある。
【課題を解決するための手段】
【０００６】
本発明の遠隔操作装置は、
機器を遠隔操作する遠隔操作装置であって、
利用者による入力操作に基づいて操作信号を発する操作手段と、
この操作手段による前記機器の設定状態を表示する表示手段と、
前記操作手段からの前記操作信号に基づいて、前記機器や前記表示手段へ制御信号を発する制御手段と、
前記操作手段や前記制御手段を実装する回路基板と、
この回路基板を内蔵し、前記操作手段と前記表示手段とが外側から臨むように開口部を有するケースと、
前記ケースにおける前記操作手段と前記表示手段とを有する操作面を覆い、この操作面と対向する平滑面を有する板状の透明部材と、
この透明部材を前記ケースに対して着脱可能に固定する固定手段と、
を備えることを特徴とする。
【０００７】
また、前記固定手段は、前記透明部材と前記ケースとの間に、シート状の意匠部材を介在させた状態で前記透明部材を前記ケースに固定することを特徴とする。
【０００８】
また、前記透明部材は、前記操作手段を臨む開口孔を有することを特徴とする。
【０００９】
また、前記固定手段は、前記ケースに設けられる磁石と、前記透明部材を挟み込む金属部材とからなることを特徴とする。
【発明の効果】
【００１０】
本発明は、所望の意匠へ容易に変更可能とする遠隔操作装置となる。
【図面の簡単な説明】
【００１１】
【図１】本発明の実施形態による遠隔操作装置を示す図。
【図２】同実施形態における遠隔操作装置の組み付け前の斜視図。
【図３】同実施形態における制御的な構成を示すブロック図。
【発明を実施するための形態】
【００１２】
以下、本発明の遠隔操作装置の実施形態として、空気調和機用のリモートコントローラ（以下、リモコンと記す）に適用したものを例に挙げて、図面を用いて説明する。
【００１３】
図１乃至図２に示すように、リモコンＡは、操作手段１と、表示手段２と、ケース３と、透明パネル（透明部材）４と、固定手段５と、意匠部材６とを備え、図３に示すように、操作手段１や、表示手段２と、遠隔操作対象となる空気調和機（機器）Ｂと通信可能に接続される制御手段７をケース３内の回路基板に実装している。
【００１４】
操作手段１は、利用者が触れることができるようにキートップを露出する押しボタンスイッチを適用でき、この場合、複数設けられる。キートップには、機能を示す文字やシンボルマークなどの意匠を印刷することもできる。また、操作手段１は、ケース３内の回路基板に実装されたタクトスイッチ素子を設け、利用者の押圧操作に基づくキートップの位置変化に連動してタクトスイッチ素子が作動し、操作信号として制御手段７へ出力できる。
【００１５】
表示手段２は、液晶表示素子を用いた表示パネルを適用でき、制御手段７からの制御信号に基づいて所望の表示出力を行うことができる。表示手段２の表示内容は、例えば、空気調和機Ｂの設定状態や操作ガイド、室内/室外温度や、時刻などを表示できる。また、表示手段２に、透明なタッチパネルで覆うことで、操作手段（入力インタフェース）の一部として兼用することもできる。
【００１６】
ケース３は、合成樹脂材からなり操作手段１の電子部品や表示手段２、制御手段７を実装する回路基板を収納する筐体である。また、ケース３は、この場合、板状であり、壁面に取り付ける取り付け面と反対側に、操作手段１や表示手段２を露出する開口部３１を有する操作面３２が設けられる。ケース３は、透明パネル４や意匠部材６を操作面３２側に保持するための固定手段５である磁石５１を複数保持している。ケース３は、この場合、白色の合成樹脂を適用しているが、透明や半透明の部材を用いたり、表面を鏡面や金属調に加工することもできる。
【００１７】
透明パネル４は、アクリル等を用いた透明な合成樹脂を適用でき、ケース３の操作面３２に固定手段５を用いて保持される。また透明パネル４は、操作面３２側の面が平滑であり、操作面３２と略同じ外郭形状をしており、操作手段１を露出するための開口孔４１が設けられる。この場合、透明パネル４は、固定手段５を挿通するための孔４２や、表示手段２に対応する孔４３も設けられている。なお、透明パネル４は、有色の顔料を含む透光性部材であったり、一部に模様または操作機能名、ロゴ、機種名など印刷が施されたものであっても適用できる。
【００１８】
固定手段５は、ケース３側に保持される磁石５１と、この磁石５１に接触し透明パネル４の孔４２に挿通可能な外径の胴部５２ａと、孔４２よりも大きな外径の頭部５２ｂを有する金属部材５２とからなる。固定手段５は、胴部５２ａが透明パネル４や意匠部材６の孔に挿通することで、ケース３の操作面３２に沿った面方向の各部材４，６の位置決めを行うことができ、また、頭部５２ｂと操作面３２とで、透明パネル４や意匠部材６を挟み込むように介在させることで、操作面３２に対して水平方向に各部材４，６を保持できる。なお、金属部材５２は、図示した形状だけでなく、特に頭部５２ｂにあっては、形状や色、材質など適宜選択することもでき、この場合、意匠部材６との組み合わせにて、デザイン的な自由度を高める効果を期待できる。
【００１９】
意匠部材６は、紙や合成樹脂などシート状の部材を適用でき、透明パネル４に対向する面に、模様や色などの意匠を有している。意匠部材６は、透明パネル４とケース３の操作面３２との間に、挟まれて平らな状態で保持される。なお、意匠部材６は、透明パネル４と同様に、操作手段１、表示手段２、金属部材５２（胴部５２ａ）を挿通するための開口が施されている。
【００２０】
制御手段７は、操作手段１や空気調和機Ｂからの信号に基づいて、表示手段２を駆動したり、空気調和機Ｂへの設定を促す通信信号を出力することができ、例えば、演算回路や記憶回路、計時回路等を有するマイクロコンピュータを適用できる。この場合、制御手段７は、空気調和機Ｂと通信するための送受信回路を含み、有線または無線にて利用者の操作に基づく空気調和機Ｂの遠隔操作を行うことができる。
【００２１】
以上の構成にすることで、リモコンＡの外観意匠について意匠部材６の影響度合いを大きくすることができ、意匠部材６を利用者の好みに応じて変更することも可能となる。透明パネル４や固定手段５によって、意匠部材６の着脱が容易になるだけでなく、透明パネル４の平滑面によってシート状の部材を平滑にして保持できる作用もある。
【００２２】
また、意匠部材６としてシート状であれば適用できるため、例えば、意匠部材６として、リモコンＡが取り付けられる壁面に施される壁紙を加工して用いることもでき、壁面との一体感が一層高まるため、デザイン性を向上ができる。また、壁紙などの建材だけでなく、和紙や写真、ポスターなど多様な種類のシート材を選択して適用可能にする作用もある。
【００２３】
また、取り外し可能な透明パネル４と意匠部材６とが略同じ形状であるために、外郭や開口孔４１等の形状に合わせて、トレース処理、または切り取り加工できるため、意匠部材６としての適用が容易となる。
【００２４】
斯かるリモコンＡは、空気調和機（機器）Ｂを遠隔操作するリモコン（遠隔操作装置）Ａであって、利用者による入力操作に基づいて操作信号を発する操作手段１と、この操作手段１による空気調和機Ｂの設定状態を表示する表示手段２と、操作手段１からの前記操作信号に基づいて、空気調和機Ｂや表示手段２へ制御信号を発する制御手段７と、操作手段１や制御手段７を実装する回路基板と、この回路基板を内蔵し、操作手段１と表示手段２とが外側から臨むように開口部３１を有するケース３と、ケース３における操作手段１と表示手段２とを有する操作面３２を覆い、この操作面３２と対向する平滑面を有する板状の透明パネル４と、この透明パネル４をケース３に対して着脱可能に固定する固定手段５と、を備える。
【００２５】
また、固定手段５は、透明パネル４とケース３との間に、シート状の意匠部材６を介在させた状態で透明パネル４をケース３に固定する。
【００２６】
したがって、上述したように所望の外観意匠への変更について自由度が高く、変更作業においても容易とする遠隔操作装置となる。
【００２７】
また、透明パネル４は、操作手段１を臨む開口孔４１を有することによって、操作手段１を操作可能に露出するだけでなく、ケース３の操作面３２に対して位置決めを行う作用がある。
【００２８】
また、固定手段５は、ケース３に設けられる磁石５１と、透明パネル４を挟み込む金属部材５２とからなることによって、工具等を使わずに着脱作業が容易となる。
【００２９】
なお、本発明の遠隔操作装置を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。例えば、上述実施の形態にあっては、固定手段５として磁力による固定保持を示したが、透明パネル側に磁石を用いたり、固定手段５の一部が透明パネルに固定保持される構成であってもよい。また、固定手段として、磁力による結合を置き換えて、ビスによる螺合やフックによる係合、または、これらの組み合わせによって、透明パネル４及び意匠部材６が固定保持されるものであっても良い。
【００３０】
また、遠隔操作の対象機器として、空気調和機だけでなく、例えば、給湯機や電灯などを操作するものであってもよく、特に壁面に取り付けられる遠隔操作装置として好適である。
【００３１】
また、透明部材として、板状の透明パネル４を示したが、ケース３の壁面への取り付け面以外の面、例えば、側面まで連続して覆う形状の透明部材を適用することもでき、この場合、側面においても、利用者が選択した意匠部材をケースと該透明部材とで挟み込むことで、遠隔操作装置の外観デザインについて自由度をさらに高めることができる。
【産業上の利用可能性】
【００３２】
本発明は、遠隔操作装置に関して、例えば、空気調和機や給湯機、電灯、あるいはシャッターや窓、カーテンなどの開閉装置などの機器を対象にした遠隔操作手段として好適である。
【符号の説明】
【００３３】
Ａ    リモコン（遠隔操作装置）
Ｂ    空気調和機（機器）
１    操作手段
２    表示手段
３    ケース
３１  開口部
３２  操作面
４    透明パネル（透明部材）
４１  開口孔
４２  孔
４３  孔
５    固定手段
５１  磁石
５２  金属部材
５２ａ  胴部
５２ｂ  頭部
６    意匠部材
７    制御手段
【図１】
2018032992.tif 000003
【図２】
2018032992.tif 000004
【図３】
2018032992.tif 000005